(57)【要約】【課題】直接的に管理することが不可能な管理外ネットワークの配下の管理外端末に広告を伝播させることができる可能性を高めることが可能な広告配信装置及び広告配信方法を提供する。【解決手段】広告配信装置１は、広告配信装置１の管理下にあるネットワーク配下の複数の内部ノード３０に関する管理下情報を取得する内部ネットワーク構成部１１と、管理下情報に基づいて、複数の内部ノードのそれぞれにリンクされる、広告配信装置１の管理外のネットワーク配下の複数の外部ノードに関する管理外情報を取得する拡張ネットワーク構成部１２と、管理外情報に基づいて、複数の外部ノードから広告配信の目標対象となる配信目標ノードを選択する施策対象特徴抽出部１３、施策対象決定部１４、及び広告配信対象決定部１５と、配信目標ノードにリンクされる内部ノードに対して広告を配信する決定内容通知部１６と、を備える。【選択図】図１
2014186489.tif 000002
【特許請求の範囲】
【請求項１】
ノードへ広告を配信する広告配信装置であって、
当該広告配信装置の管理下にあるネットワーク配下の複数の管理下ノードに関する管理下情報を取得する第一取得手段と、
前記管理下情報に基づいて、前記複数の管理下ノードのそれぞれにリンクされる、当該広告配信装置の管理外のネットワーク配下の複数の管理外ノードに関する管理外情報を取得する第二取得手段と、
前記管理外情報に基づいて、前記複数の管理外ノードから広告配信の目標対象となる配信目標ノードを選択する目標選択手段と、
前記配信目標ノードにリンクされる管理下ノードに対して広告を配信する配信手段と、
を備えることを特徴とする広告配信装置。
【請求項２】
前記目標選択手段は、前記配信目標ノードとして過去に選択された管理外ノードにおける広告の配信効果の大きさを示す効果情報に基づいて、前記複数の管理外ノードから広告配信の目標対象となる配信目標ノードを選択し、
前記配信手段は、当該選択された配信目標ノードにリンクされる管理下ノードに対して広告を配信する、
ことを特徴とする請求項１に記載の広告配信装置。
【請求項３】
前記目標選択手段は、前記管理下情報に基づいて、前記配信目標ノードにリンクされる管理下ノードを選択し、
前記配信手段は、当該目標選択手段により選択された前記管理下ノードに対して広告を配信する、
ことを特徴とする請求項１又は２に記載の広告配信装置。
【請求項４】
前記管理下情報は、前記複数の管理下ノードの経時変化に関する情報を有しており、
前記管理外情報は、前記複数の管理外ノードの経時変化に関する情報を有している、
ことを特徴とする請求項１〜３の何れか１項に記載の広告配信装置。
【請求項５】
ノードへ広告を配信する広告配信装置が行う広告配信方法であって、
当該広告配信装置の管理下にあるネットワーク配下の複数の管理下ノードに関する管理下情報を前記広告配信装置が取得する第一取得ステップと、
前記管理下情報に基づいて、前記複数の管理下ノードのそれぞれにリンクされる、当該広告配信装置の管理外のネットワーク配下の複数の管理外ノードに関する管理外情報を前記広告配信装置が取得する第二取得ステップと、
前記管理外情報に基づいて、前記複数の管理外ノードから広告配信の目標対象となる配信目標ノードを前記広告配信装置が選択する目標選択ステップと、
前記配信目標ノードにリンクされる管理下ノードに対して広告を前記広告配信装置が配信する配信ステップと、
を含むことを特徴とする広告配信方法。
【発明の詳細な説明】
【技術分野】
【０００１】
本発明は、ノードへ広告を配信する広告配信装置と、当該広告配信装置が行う広告配信方法とに関する。
【背景技術】
【０００２】
従来、広告を配信するシステムが提案されている。例えば特許文献１に記載の広告配信システムでは、既存ユーザからの紹介により新規ユーザがメンバーとして参加可能なネットワークサービスにおいて、既存ユーザの特性に対応した広告を、当該既存ユーザにより紹介された新規ユーザに配信する。
【先行技術文献】
【特許文献】
【０００３】
【特許文献１】特開２００７−１７８７７６号公報
【発明の概要】
【発明が解決しようとする課題】
【０００４】
しかしながら、特許文献１に記載の広告配信システムでは、当該広告配信システムが直接的に管理することが不可能な管理外ネットワークの配下の管理外端末の存在を把握できない。このため、特許文献１に記載の広告配信システムでは、当該管理外端末に広告を伝播させることができる可能性が低い。
【０００５】
そこで本発明は、上述の問題点を解消する為になされたものであり、直接的に管理することが不可能な管理外ネットワークの配下の管理外端末に広告を伝播させることができる可能性を高めることが可能な広告配信装置及び広告配信方法を提供することを目的とする。
【課題を解決するための手段】
【０００６】
本発明の一形態に係る広告配信装置は、ノードへ広告を配信する広告配信装置であって、当該広告配信装置の管理下にあるネットワーク配下の複数の管理下ノードに関する管理下情報を取得する第一取得手段と、管理下情報に基づいて、複数の管理下ノードのそれぞれにリンクされる、当該広告配信装置の管理外のネットワーク配下の複数の管理外ノードに関する管理外情報を取得する第二取得手段と、管理外情報に基づいて、複数の管理外ノードから広告配信の目標対象となる配信目標ノードを選択する目標選択手段と、配信目標ノードにリンクされる管理下ノードに対して広告を配信する配信手段と、を備えることを特徴とする。
【０００７】
本発明の一形態に係る広告配信装置によれば、まず、管理下情報が取得され、管理下情報に基づいて、管理外情報が取得される。次に、管理外情報に基づいて配信目標ノードが選択され、配信目標ノードにリンクされる管理下ノードに対して広告が配信される。この結果、当該広告配信装置の管理外のネットワーク配下の複数の管理外ノードから配信目標ノードが選択され、この配信目標ノードにリンクされる管理下ノードに対して広告が配信されるため、直接的に管理することが不可能な管理外ネットワークの配下の管理外端末としての管理外ノードに広告を伝播させることができる可能性を高めることが可能になる。
【０００８】
別の形態に係る広告配信装置では、目標選択手段は、配信目標ノードとして過去に選択された管理外ノードにおける広告の配信効果の大きさを示す効果情報に基づいて、複数の管理外ノードから広告配信の目標対象となる配信目標ノードを選択し、配信手段は、当該選択された配信目標ノードにリンクされる管理下ノードに対して広告を配信してもよい。
【０００９】
この形態では、配信目標ノードとして過去に選択された管理外ノードにおける広告の配信効果の大きさを示す効果情報に基づいて、複数の管理外ノードから広告配信の目標対象となる配信目標ノードが選択され、当該選択された配信目標ノードにリンクされる管理下ノードに対して広告が配信される。この結果、広告の配信効果の大きさに基づいて、配信目標ノードを選択し、当該選択された配信目標ノードにリンクされる管理下ノードに対して広告を配信することが可能になる。
【００１０】
別の形態に係る広告配信装置では、目標選択手段は、管理下情報に基づいて、配信目標ノードにリンクされる管理下ノードを選択し、配信手段は、当該目標選択手段により選択された管理下ノードに対して広告を配信してもよい。
【００１１】
この形態では、管理下情報に基づいて、配信目標ノードにリンクされる管理下ノードが選択され、選択された管理下ノードに対して広告が配信される。この結果、配信目標ノードにリンクされる管理下ノードに対して広告を配信することが可能になる。
【００１２】
別の形態に係る広告配信装置では、管理下情報は、複数の管理下ノードの経時変化に関する情報を有しており、管理外情報は、複数の管理外ノードの経時変化に関する情報を有してもよい。
【００１３】
この形態では、複数の管理下ノードの経時変化に関する管理下情報に基づいて、複数の管理外ノードの経時変化に関する管理外情報を取得することが可能になる。
【００１４】
本発明の一形態に係る広告配信方法は、ノードへ広告を配信する広告配信装置が行う広告配信方法であって、当該広告配信装置の管理下にあるネットワーク配下の複数の管理下ノードに関する管理下情報を広告配信装置が取得する第一取得ステップと、管理下情報に基づいて、複数の管理下ノードのそれぞれにリンクされる、当該広告配信装置の管理外のネットワーク配下の複数の管理外ノードに関する管理外情報を広告配信装置が取得する第二取得ステップと、管理外情報に基づいて、複数の管理外ノードから広告配信の目標対象となる配信目標ノードを広告配信装置が選択する目標選択ステップと、配信目標ノードにリンクされる管理下ノードに対して広告を広告配信装置が配信する配信ステップと、を含むことを特徴とする。
【００１５】
本発明の一形態に係る広告配信方法によれば、まず、管理下情報が取得され、管理下情報に基づいて、管理外情報が取得される。次に、管理外情報に基づいて配信目標ノードが選択され、配信目標ノードにリンクされる管理下ノードに対して広告が配信される。この結果、当該広告配信装置の管理外のネットワーク配下の複数の管理外ノードから配信目標ノードが選択され、この配信目標ノードにリンクされる管理下ノードに対して広告が配信されるため、直接的に管理することが不可能な管理外ネットワークの配下の管理外端末としての管理外ノードに広告を伝播させることができる可能性を高めることが可能になる。
【発明の効果】
【００１６】
本発明によれば、直接的に管理することが不可能な管理外ネットワークの配下の管理外端末に広告を伝播させることができる可能性を高めることが可能な広告配信装置及び広告配信方法を提供することができる。
【図面の簡単な説明】
【００１７】
【図１】広告配信装置の主な機能構成の概略を説明するための機能ブロック図である。
【図２】広告配信装置が有する広告決定装置及び通信管理装置のそれぞれの主な物理構成の概略を説明するための物理構成図である。
【図３】内部ノード情報データベースのテーブル構成の一例を説明する説明図である。
【図４】内部リンク情報データベースのテーブル構成の一例を説明する説明図である。
【図５】外部ノード情報データベースのテーブル構成の一例を説明する説明図である。
【図６】外部リンク情報データベースのテーブル構成の一例を説明する説明図である。
【図７】施策効果履歴情報データベースのテーブル構成の一例を説明する説明図である。
【図８】広告配信履歴情報データベースのテーブル構成の一例を説明する説明図である。
【図９】内部ネットワークの一例を説明するためのネットワーク構成図である。
【図１０】広告配信装置における広告配信処理の流れを説明するためのフローチャートである。ある。
【図１１】広告配信処理の一部処理の詳細を説明するためのフローチャートである。
【図１２】内部ネットワークの別の例を説明するためのネットワーク構成図である。
【発明を実施するための形態】
【００１８】
以下、添付図面を参照しながら本発明に係る広告配信装置及び広告配信方法の実施形態を説明する。なお、図面の説明において同一要素には同一符号を付し、重複する説明を省略する。
【００１９】
（１）本実施形態における広告配信装置の構成
まず、本実施形態における広告配信装置の構成について、図１及び図２を用いて説明する。図１は、本実施形態における広告配信装置１の主な機能構成の概略を説明するための機能ブロック図であり、図２は、広告配信装置１が有する広告決定装置１０及び通信管理装置２０のそれぞれの主な物理構成の概略を説明するための物理構成図である。
【００２０】
本実施形態における広告配信装置１は、図１に示すように、広告配信装置１が直接的に管理すること（ネットワーク構成の把握等）が不可能な管理外ネットワークの配下の外部ノード５０（管理外ノード）に、広告を伝播させることができる可能性を高める処理を行う。広告配信装置１は、広告を伝播させる対象目標となる外部ノード５０を決定すると、この外部ノード５０にリンクされる内部ノード３０（管理下ノード）に対して広告を配信することにより、外部ノード５０に広告を伝播（波及）させることができる可能性を高める。
【００２１】
広告配信装置１は、広告決定装置１０及び通信管理装置２０を有しており、広告決定装置１０及び通信管理装置２０のそれぞれは、図２に示されるように、主な物理的な構成要素としてＣＰＵ１０１（Central Processing Unit）、主記憶装置であるＲＡＭ１０２（Random Access Memory）及びＲＯＭ１０３（Read Only Memory）、通信モジュール１０４、及び補助記憶装置１０５等を含むコンピュータシステムとして構成されている。
【００２２】
また、広告決定装置１０は、図１に示されるように、主な機能的な構成要素として、内部ネットワーク構成部１１（第一取得手段）、拡張ネットワーク構成部１２（第二取得手段）、施策対象特徴抽出部１３（目標選択手段）、施策対象決定部１４（目標選択手段）、広告配信対象決定部１５（目標選択手段）、及び決定内容通知部１６（配信手段）を備えて構成されている。なお、広告決定装置１０は、通信管理装置２０との間で、無線通信等により、後述する各種情報の送受信が可能なように構成されている。
【００２３】
また、通信管理装置２０は、図１に示されるように、主な機能的な構成要素として、広告配信部２１（管理下選択手段）、内部ノード情報データベース２２（第一情報格納手段）、外部ノード情報データベース２３（第二情報格納手段）、内部リンク情報データベース２４（第一情報格納手段）、外部リンク情報データベース２５（第二情報格納手段）、施策効果履歴情報データベース２６（効果情報格納手段）、及び広告配信履歴情報データベース２７（履歴情報格納手段）を備えて構成されている。
【００２４】
なお、通信管理装置２０は、広告配信装置１の管理下にあるネットワーク配下の複数の内部ノード３０との間で、無線通信等により、後述する各種情報の送受信が可能なように構成されている。すなわち、内部ノード３０には、通信管理装置２０との通信が可能なように所定の通信契約に基づく設定がなされており、内部ノード３０のユーザは、通信管理装置２０との通信サービスを利用することが可能である。より詳しくは、内部ノード３０のユーザは、通信管理装置２０を介して、他の内部ノード３０とリンク（通信接続）して相互通信することが可能である。
【００２５】
更に、通信管理装置２０は、広告配信装置１が直接的に管理すること（ネットワーク構成の把握等）が不可能な管理外ネットワークを管理する通信管理装置４０との間で、無線通信等により、後述する各種情報の送受信が可能なように構成されている。しかしながら、通信管理装置２０は、通信管理装置４０において記憶されている情報、保持されている情報、管理されている情報の取得及び参照を行うことはできない。なお、通信管理装置４０は、通信管理装置４０の管理下にあるネットワーク配下の複数の外部ノード５０との間で、無線通信等により、後述する各種情報の送受信が可能なように構成されている。すなわち、外部ノード５０には、通信管理装置４０との通信が可能なように所定の通信契約に基づく設定がなされており、外部ノード５０のユーザは、通信管理装置４０との通信サービスを利用することが可能である。より詳しくは、外部ノード５０のユーザは、通信管理装置４０を介して、他の外部ノード５０とリンクして相互通信することが可能である。
【００２６】
更に、内部ノード３０のユーザは、管理下の通信管理装置２０と管理外の通信管理装置４０とを介して、外部ノード５０とリンクして相互通信することが可能である。
【００２７】
なお、通信管理装置２０及び通信管理装置４０は、例えば、通信事業者やＳＮＳ提供事業者によって管理されるサーバ装置である。また、内部ノード３０及び外部ノード５０は、例えば、ＳＩＭ（Subscriber Identity Module：契約者識別モジュール）カード付属のスマートフォン等のモバイル通信端末、ＳＮＳ（Social Networking Service、ソーシャル・ネットワーキング・サービス）上のユーザアカウント等同士の相互通信を可能にするノード（他端末）等である。全ての内部ノード３０及び外部ノード５０のそれぞれにおいては、例えば、それぞれの固有の識別番号を保持したまま、通信管理装置２０及び通信管理装置４０のそれぞれとの所定の通信契約の設定内容の変更及び切り替えが可能である。
【００２８】
内部ネットワーク構成部１１は、通信管理装置２０の管理下にあるネットワーク配下の複数の内部ノード３０に関する管理下情報を取得する通信処理部分である。管理下情報は、例えば、複数の内部ノード３０のそれぞれに関する内部ノード情報（例えば、固有の識別番号としてのノード識別番号の情報等）と、内部ノード３０間の相互のリンクの有無に関する内部リンク情報（例えば、内部ノード３０が他の内部ノードとリンクされる際の当該リンクを特定するリンク識別番号の情報等）とを含んで構成されている。なお、管理下情報は、複数の内部ノード３０の経時変化（時間の経過による複数の内部ノード３０の追加、削除等の変更）に関する情報を有していてもよい。
【００２９】
また、内部ネットワーク構成部１１は、内部ノード情報を内部ノード情報データベース２２から取得し、内部リンク情報を内部リンク情報データベース２４から取得する。内部ネットワーク構成部１１は、取得したノード情報及び内部リンク情報に基づいて、複数の内部ノード３０間の相互のリンクの存在により構成可能なネットワーク（以下、内部ネットワーク）の構造を決定し取得する。
【００３０】
拡張ネットワーク構成部１２は、（内部ネットワーク構成部１１が取得した）管理下情報に基づいて、複数の内部ノード３０のそれぞれにリンクされる、通信管理装置２０の管理外のネットワーク配下の複数の外部ノード５０に関する管理外情報を取得する通信処理部分である。管理外情報は、例えば、複数の外部ノード５０のそれぞれに関する外部ノード情報（例えば、固有の識別番号としてのノード識別番号の情報等）と、外部ノード５０及び内部ノード３０の相互のリンクの有無に関する外部リンク情報（例えば、内部ノード３０が外部ノード５０とリンクされる際の当該リンクを特定するリンク識別番号の情報等）とを含んで構成されている。なお、管理外情報は、複数の外部ノード５０の経時変化（時間の経過による複数の外部ノード５０追加、削除等の変更）に関する情報を有していてもよい。
【００３１】
なお、拡張ネットワーク構成部１２は、外部ノード情報を外部ノード情報データベース２３から取得し、外部リンク情報を外部リンク情報データベース２５から取得する。拡張ネットワーク構成部１２は、取得した外部ノード情報及び外部リンク情報と内部ネットワーク構成部１１により決定された内部ネットワークとに基づいて、複数の外部ノード５０間の相互のリンクの存在により構成可能なネットワーク（以下、拡張ネットワーク）の構造を決定し取得する。拡張ネットワークは、内部ネットワークに外部ノード情報及び外部リンク情報が組み込まれて拡張されたネットワークである。
【００３２】
また、拡張ネットワーク構成部１２は、複数の内部ノード３０の何れにもリンクされておらず且つ複数の外部ノード５０の少なくとも一部にリンクされる、通信管理装置２０の管理外のネットワーク配下の非リンクノード５０Ｅに関する非リンク情報を、以下の経時変化の履歴が用いられた場合に限り、取得することが可能である。非リンクノード５０Ｅが過去に通信管理装置２０の管理下にあるネットワーク配下に属していたことがあり、その場合にリンク８０が存在していたとする。その後、現時点までに非リンクノード５０Ｅが、通信契約の切り替えによって、通信管理装置４０Ａの管理下にあるネットワーク配下に変更して属するようになったとする。このような経時変化の場合に限り、拡張ネットワーク構成部１２は、非リンクノード５０Ｅ及びリンク８０が、過去に存在したという推定結果及び現在も存在するであろうという推定結果を取得することが可能である。
【００３３】
施策対象特徴抽出部１３、施策対象決定部１４、及び広告配信対象決定部１５は、（拡張ネットワーク構成部１２が取得した）管理外情報に基づいて、複数の外部ノード５０から、広告配信の目標対象となる配信目標ノードを選択（決定）する演算処理部分である。より詳しくは、施策対象特徴抽出部１３は、配信目標ノードとして過去に選択された複数の外部ノード５０（内部ノード３０の場合もある）のそれぞれにおける広告の配信効果の大きさを示す効果情報を、施策効果履歴情報データベース２６から取得する処理を行う。次に、施策対象特徴抽出部１３は、（拡張ネットワーク構成部１２が取得した）管理外情報に基づいて、取得した複数の効果情報のそれぞれに対応する外部ノード５０についての施策対象特徴情報を抽出して取得する処理を行う。
【００３４】
ここで、施策対象特徴情報は、外部ノード５０が有する、内部ノード３０との間のリンクの数に基づいて算出される情報である。例えば、（拡張ネットワーク構成部１２が取得した）拡張ネットワークにおける一部の外部ノード５０に関して、内部ノード３０との間のリンクの数が多いほど、施策対象特徴情報が示すリンクの数も多くなる。なお、拡張ネットワークにおける一部の外部ノード５０に関して、内部ノード３０との間のリンクの数が多いほど、当該外部ノード５０のユーザの（内部ノード３０ユーザとしての）友人や知人等が多いといえる。そして、拡張ネットワークにおける一部の外部ノード５０に関して、内部ノード３０との間のリンクの数が多いほど、これら内部ノード３０に対して広告を配信することにより、外部ノード５０に広告を伝播（波及）させる可能性を高めることが可能になる。
【００３５】
例えば、施策対象特徴抽出部１３は、過去の広告配信施策による配信効果の大きさ（効果量）が所定ポイント（例：１０００ポイント）以上であるすべてのノードに関するリンクの数の平均値（平均リンク数）を算出し、この平均値を施策対象特徴情報が示す情報とする。後述する図７に示される施策効果履歴情報データベース２６におけるノード識別番号が特定するノードのそれぞれが、リンクの数の計算対象に成り得る。例えば、後述する図９に示される拡張ネットワークでは、施策効果履歴情報が示す平均リンク数は約「２」である。
【００３６】
施策対象決定部１４は、拡張ネットワーク構成部１２によって構成された拡張ネットワークから、施策対象特徴抽出部１３によって抽出された施策対象特徴情報と似ている特徴を持ち（すなわち、当該施策対象特徴情報が示す平均リンク数との差異が所定本数以内であり）且つ外部ノード情報データベース２３に記憶された外部ノード５０を、一つ以上検索して抽出し、当該外部ノード５０を配信目標ノードとして決定する。例えば、後述する図９に示される拡張ネットワークでは、施策効果履歴情報が示す平均リンク数は約「２」であるため、外部ノード５０Ｃ，５０Ｆが、配信目標ノードとして選択され得る。
【００３７】
広告配信対象決定部１５は、（内部ネットワーク構成部１１が取得した）管理下情報に基づいて、施策対象決定部１４によって選択された配信目標ノードとしての外部ノード５０とリンクを有する複数の内部ノード３０から、一つ以上選択して抽出し、当該内部ノード３０を配信対象ノードとして決定する。そして、広告配信対象決定部１５は、当該配信対象ノードとしての内部ノード３０に配信する広告の内容を決定する。例えば、後述する図９に示される拡張ネットワークでは、外部ノード５０Ｆが配信目標ノードとして選択された場合、内部ノード３０Ａ，３０Ｂが配信対象ノードとして選択され得る。
【００３８】
ここで、広告配信対象決定部１５が決定する広告の内容は、例えば、友人及び知人等に紹介して利用されると料金割引や特定サービスを受けること等が可能となるクーポン情報である。この紹介割引クーポン情報の形式は、特に限定されず、例えば、インターネット上の契約者等の会員向けページで取得可能であってもよく、電子メールによって配信されてもよく、ダイレクトメールや請求書等に紙媒体として同封されてもよい。内部ノード３０からの転送等で提供された紹介割引クーポン情報を外部ノード５０が受信して、この紹介割引クーポン情報のこの外部ノード５０のユーザによる利用を提示することにより、このユーザは、広告配信装置１（又は広告配信装置１の管理事業者等）から、料金割引や特定サービスを受けること等が可能となる。
【００３９】
決定内容通知部１６は、広告配信対象決定部１５によって決定された内容の広告を、広告配信対象決定部１５によって決定された配信対象ノードとしての内部ノード３０に対して配信する処理を行う通信処理部分である。より詳しくは、決定内容通知部１６は、広告配信対象決定部１５によって決定された内容の広告を特定する広告特定情報を、広告配信対象決定部１５によって決定された配信対象ノードを特定するノード特定情報とともに、広告配信部２１に送信する。
【００４０】
広告配信部２１は、決定内容通知部１６から送信されたノード特定情報に基づく配信対象ノードとしての内部ノード３０に対して、決定内容通知部１６から送信された広告特定情報に基づく広告を配信する通信処理部分である。広告配信部２１は、各種広告を予め記憶して格納している。広告配信部２１は、配信した広告を特定する情報、配信した広告自体のコンテンツ等を、広告配信履歴情報として広告配信履歴情報データベース２７に記憶させる。
【００４１】
内部ノード情報データベース２２は、内部ノード情報を記憶するデータベース機能部分である。内部ノード情報データベース２２のテーブル構成の一例が、図３に示されている。内部ノード情報データベース２２は、データ項目として、例えば、内部ノード情報としてのノード識別番号（例：「３０Ａ」）を格納している。ノード識別番号は、内部ノード３０等のノードを一意に識別して特定するためのＩＤである。
【００４２】
内部リンク情報データベース２４は、内部リンク情報を記憶するデータベース機能部分である。内部リンク情報データベース２４のテーブル構成の一例が、図４に示されている。内部リンク情報データベース２４は、データ項目として、例えば、内部ノード情報としてのリンク識別番号（例：「６０」）と、当該リンクによってリンクされる内部ノード３０同士のノード識別番号組（例：「（３０Ａ，３０Ｂ）」）とを対応付けて格納している。ノード識別番号組は、内部ノード情報データベース２２に記憶されている二つのノード識別番号からなる組を一意に識別するためのＩＤである。
【００４３】
なお、内部リンク情報データベース２４に記憶される内部リンク情報は、内部ノード３０間のデータ通信、通話、メール送受信、ＳＮＳを用いた通信、電話帳機能アプリケーションを介した相互の登録情報、家族関係に関するデータのやり取り等の、リンクの定義が可能なあらゆるデータソース（履歴情報）に基づいて生成される。ただし、これらのデータソースの生成のためにデータの収集が行われる際には、関係する内部ノード３０のユーザによるデータ収集の許可、許諾が確認されることが必須条件となる。これらのデータソースのうち一部しか収集されなかった場合には、得られたデータソースのみに基づいて内部リンク情報が生成される。
【００４４】
外部ノード情報データベース２３は、外部ノード情報を記憶するデータベース機能部分である。外部ノード情報データベース２３のテーブル構成の一例が、図５に示されている。外部ノード情報データベース２３は、データ項目として、例えば、外部ノード情報としてのノード識別番号（例：「５０Ｃ」）と、当該ノード識別番号によって特定される外部ノードを直接的に管理する通信管理装置４０の固有の識別番号としての所属識別番号（例：「４０Ａ」）とを対応付けて格納している。所属識別番号は、当該外部ノードが所属する通信管理装置４０を一意に識別して特定するためのＩＤである。
【００４５】
外部リンク情報データベース２５は、外部リンク情報を記憶するデータベース機能部分である。外部リンク情報データベース２５のテーブル構成の一例が、図６に示されている。外部リンク情報データベース２５は、データ項目として、例えば、外部ノード情報としてのリンク識別番号（例：「７０」）と、当該リンクによってリンクされる外部ノード５０（例：「５０Ｆ」）及び内部ノード３０（例：「３０Ｂ」）のノード識別番号組（例：「（３０Ｂ，５０Ｆ）」）とを対応付けて格納している。ノード識別番号組は、内部ノード情報データベース２２に記憶されている一つのノード識別番号と、外部ノード情報データベース２３に記憶されている一つのノード識別番号とからなる組を一意に識別するためのＩＤである。
【００４６】
なお、外部リンク情報データベース２５に記憶される内部リンク情報は、内部ノード３０と外部ノード５０との間のデータ通信、通話、メール送受信、ＳＮＳを用いた通信、電話帳機能アプリケーションを介した相互の登録情報、家族関係に関するデータのやり取り等の、リンクの定義が可能なあらゆるデータソース（履歴情報）に基づいて生成される。ただし、これらのデータソースの生成のためにデータの収集が行われる際には、関係する内部ノード３０及び外部ノード５０のユーザによるデータ収集の許可、許諾が確認されることが必須条件となる。これらのデータソースのうち一部しか収集されなかった場合には、得られたデータソースのみに基づいて外部リンク情報が生成される。
【００４７】
施策効果履歴情報データベース２６は、効果情報を記憶するデータベース機能部分である。施策効果履歴情報データベース２６のテーブル構成の一例が、図７に示されている。施策効果履歴情報データベース２６は、データ項目として、例えば、施策識別番号（例：「９０」）と、ノード識別番号（例：「５０Ｃ」）と、広告の配信が行われた時刻（例：「２０１２−１２−１２  １０：５０：４５」）と、効果量（例：「１０００」）とを対応付けて格納している。ここで、施策識別番号は、過去に適用された、広告の内容及び配信先を特定する施策を一意に識別して特定するためのＩＤである。また、ノード識別番号は、当該施策によって特定される広告の配信先であるノードのノード識別番号である。また、効果量は、例えば、当該施策によって特定される広告の配信効果の大きさを示す効果情報である。この効果量は、通信管理装置２０を管理する通信事業者等によって運営（提供）されるサービスの加入を勧める内容の広告に対して、広告を受信したノードのユーザ等によって実際にそのサービスの加入契約に至った場合に、そのサービスの契約料金等に基づいて計算される。
【００４８】
広告配信履歴情報データベース２７は、広告配信履歴情報を記憶するデータベース機能部分である。広告配信履歴情報データベース２７のテーブル構成の一例が、図８に示されている。広告配信履歴情報データベース２７は、データ項目として、例えば、施策識別番号（例：「９０」）と、決定内容通知部１６から送信されたノード特定情報に基づく配信対象ノードを特定する広告配信対象ノード識別番号列（例：「３０Ａ，３０Ｂ」）と、広告の配信が行われた時刻（例：「２０１２−１２−１３  １２：００：００」）とを対応付けて格納している。
【００４９】
（２）内部ネットワークの一例
引き続き、内部ネットワーク構成部１１により決定される内部ネットワークの一例について、図９を用いて説明する。図９は、内部ネットワーク構成部１１により決定される内部ネットワーク（及び拡張ネットワーク構成部１２により決定される拡張ネットワーク）の一例を説明するためのネットワーク構成図である。図９に示されている内部ネットワークでは、図３に示されているノード識別番号で特定される内部ノード３０Ａ，３０Ｂが示されている。更に、図９に示されている内部ネットワークでは、図４に示されているリンク識別番号で特定されるリンク６０が示されている。内部ノード３０Ａ，３０Ｂは、リンク６０によってリンクされている。
【００５０】
（３）拡張ネットワークの一例
引き続き、拡張ネットワーク構成部１２により決定される拡張ネットワークの一例について、図９を用いて説明する。図９に示されている拡張ネットワークでは、図５に示されているノード識別番号で特定される外部ノード５０Ｄが示されている。更に、図９に示されている拡張ネットワークでは、図６に示されているリンク識別番号で特定されるリンク７２が示されている。内部ノード３０Ｂ及び外部ノード５０Ｄは、リンク７２によってリンクされている。
【００５１】
同様に、図９に示されている拡張ネットワークでは、図５に示されているノード識別番号で特定される外部ノード５０Ｃが示されている。更に、図９に示されている拡張ネットワークでは、図６に示されているリンク識別番号で特定されるリンク７３が示されている。内部ノード３０Ｂ及び外部ノード５０Ｃは、リンク７３によってリンクされている。
【００５２】
同様に、図９に示されている拡張ネットワークでは、図５に示されているノード識別番号で特定される外部ノード５０Ｆが示されている。更に、図９に示されている拡張ネットワークでは、図６に示されているリンク識別番号で特定されるリンク７１が示されている。内部ノード３０Ａ及び外部ノード５０Ｆは、リンク７１によってリンクされている。
【００５３】
同様に、図９に示されている拡張ネットワークでは、図５に示されているノード識別番号で特定される外部ノード５０Ｄが示されている。更に、図９に示されている拡張ネットワークでは、図６に示されているリンク識別番号で特定されるリンク７０が示されている。内部ノード３０Ｂ及び外部ノード５０Ｆは、リンク７０によってリンクされている。
【００５４】
ここで、拡張ネットワーク構成部１２は、外部ノード５０Ｆのノード識別番号を一意に識別できる。このため、拡張ネットワーク構成部１２は、外部ノード５０Ｆが、内部ノード３０Ａとの間のリンク７１と、内部ノード３０Ｂとの間のリンク７０との、合計二つのリンク７０，７１を持つことを検知（認識）することが可能である。
【００５５】
なお、複数の内部ノード３０（３０Ａ，３０Ｂ）の何れにもリンクされておらず且つ外部ノード５０Ｄのみにリンク８０でリンクされる非リンクノード５０Ｅは、複数の内部ノード３０（３０Ａ，３０Ｂ）の何れにもリンクされていないため、拡張ネットワーク構成部１２により決定される拡張ネットワークに非リンクノード５０Ｅは含まれない。同様に、リンク８０は、複数の内部ノード３０（３０Ａ，３０Ｂ）の何れにもリンクされていないため、拡張ネットワーク構成部１２により決定される拡張ネットワークにリンク８０は含まれない。
【００５６】
（４）広告配信装置における広告配信処理の流れ
引き続き、広告配信装置１における広告配信処理の流れ（広告配信方法）について、図１０及び図１１を用いて説明する。図１０は、広告配信装置１における広告配信処理の流れを説明するためのフローチャートである。図１１は、広告配信処理の一部処理（施策対象特徴抽出・施策対象決定・広告配信対象決定処理）の詳細を説明するためのフローチャートである。なお、図１０のフローチャートに示される処理は、広告配信装置１による広告の配信が決定されるとスタートする。
【００５７】
図１０に示されるように、まず、内部ネットワーク構成部１１が、内部ノード情報を内部ノード情報データベース２２から取得し、内部リンク情報を内部リンク情報データベース２４から取得する。そして、内部ネットワーク構成部１１が、取得したノード情報及び内部リンク情報に基づいて、内部ネットワークの構造を決定し取得する（ステップＳ０１、第一取得ステップ）。
【００５８】
次に、拡張ネットワーク構成部１２が、外部ノード情報を外部ノード情報データベース２３から取得し、外部リンク情報を外部リンク情報データベース２５から取得する。そして、拡張ネットワーク構成部１２が、取得した外部ノード情報及び外部リンク情報と内部ネットワーク構成部１１により決定された内部ネットワークとに基づいて、拡張ネットワークの構造を決定し取得する（ステップＳ０２、第二取得ステップ）。
【００５９】
次に、施策対象特徴抽出部１３、施策対象決定部１４、及び広告配信対象決定部１５が、施策対象特徴抽出・施策対象決定・広告配信対象決定処理を行う（ステップＳ０３、目標選択ステップ）。具体的には、図１１に示されるように、施策対象特徴抽出部１３が、配信目標ノードとして過去に選択された複数の外部ノード５０のそれぞれにおける広告の配信効果の大きさを示す効果情報を、施策効果履歴情報データベース２６から取得する。次に、施策対象特徴抽出部１３が、（拡張ネットワーク構成部１２が取得した）管理外情報に基づいて、取得した複数の効果情報のそれぞれに対応する外部ノード５０についての施策対象特徴情報を抽出して取得する（ステップＳ１１）。
【００６０】
次に、図１１に示されるように、施策対象決定部１４が、拡張ネットワーク構成部１２によって構成された拡張ネットワークから、施策対象特徴抽出部１３によって抽出された施策対象特徴情報と似ている特徴を持ち（すなわち、当該施策対象特徴情報が示すリンクの数との差異が所定本数以内である）且つ外部ノード情報データベース２３に記憶された外部ノード５０を、一つ以上検索して抽出し、当該外部ノード５０を施策対象ノード（配信目標ノード）として決定する（ステップＳ１２）。
【００６１】
次に、図１１に示されるように、広告配信対象決定部１５が、（内部ネットワーク構成部１１が取得した）管理下情報に基づいて、施策対象決定部１４によって選択された配信目標ノードとしての外部ノード５０とリンクを有する複数の内部ノード３０から、一つ以上選択して抽出し、当該内部ノード３０を配信対象ノードとして決定する（ステップＳ１３）。そして、広告配信対象決定部１５が、当該配信対象ノードとしての内部ノード３０に配信する広告の内容を決定する（ステップＳ１３）。
【００６２】
次に、図１０に示されるように、決定内容通知部１６が、広告配信対象決定部１５によって決定された内容の広告を特定する広告特定情報を、広告配信対象決定部１５によって決定された配信対象ノードを特定するノード特定情報とともに、広告配信部２１に送信する（ステップＳ０４、配信ステップ）。
【００６３】
次に、図１０に示されるように、広告配信部２１が、決定内容通知部１６から送信されたノード特定情報に基づく配信対象ノードとしての内部ノード３０に対して、決定内容通知部１６から送信された広告特定情報に基づく広告を配信する（ステップＳ０５）。そして、一連の処理は終了する。
【００６４】
（５）本発明による作用及び効果
広告配信装置１によれば、まず、管理下情報が取得され、管理下情報に基づいて、管理外情報が取得される。次に、管理外情報に基づいて配信目標ノードが選択され、配信目標ノードにリンクされる外部ノードに対して広告が配信される。この結果、広告配信装置１の管理外のネットワーク配下の複数の外部ノードから配信目標ノードが選択され、この配信目標ノードにリンクされる内部ノードに対して広告が配信されるため、直接的に管理することが不可能な管理外ネットワークの配下の外部ノードに広告を伝播させることができる可能性を高めることが可能になる。
【００６５】
また、広告配信装置１によれば、配信目標ノードとして過去に選択された外部ノードにおける広告の配信効果の大きさを示す効果情報に基づいて、複数の外部ノードから広告配信の目標対象となる配信目標ノードが選択され、当該選択された配信目標ノードにリンクされる内部ノードに対して広告が配信される。この結果、広告の配信効果の大きさに基づいて、配信目標ノードを選択し、当該選択された配信目標ノードにリンクされる内部ノードに対して広告を配信することが可能になる。
【００６６】
また、広告配信装置１によれば、管理下情報に基づいて、配信目標ノードにリンクされる内部ノードが選択され、選択された内部ノードに対して広告が配信される。この結果、配信目標ノードにリンクされる内部ノードに対して広告を配信することが可能になる。
【００６７】
また、広告配信装置１によれば、複数の内部ノードの経時変化に関する管理下情報に基づいて、複数の外部ノードの経時変化に関する管理外情報を取得することが可能になる。
【００６８】
（６）変形例
内部ノード情報データベース２２に格納（記憶）される情報は、特に限定されず、例えば、ノード識別番号の他に追加のデータ項目（列）として、契約情報、趣味嗜好情報等を格納してもよい。この契約情報には、例えば、内部ノードのそれぞれのユーザに関する住所、氏名、年齢、性別、契約プラン、請求額、利用端末名等が格納される。また、趣味嗜好情報には、例えば、内部ノードのそれぞれのユーザに関する映画、スポーツ、音楽等の趣味及び興味関心に関する事項が格納される。契約情報及び趣味嗜好情報が追加で格納される構成が採用された場合、例えば、図３に示されている内部ノード情報データベース２２において、「３０Ａ」のノード識別番号の内部ノードのユーザの契約情報として、当該ユーザの性別を示す「男性」と、当該ユーザが契約する通信サービスを示す「プランＡ」とが対応付けて格納され、更に、当該ユーザの趣味嗜好情報として、「映画」が対応付けて格納される。同様に、「３０Ｂ」のノード識別番号の内部ノードのユーザの契約情報として、当該ユーザの性別を示す「女性」と、当該ユーザが契約する通信サービスを示す「プランＢ」とが格納され、当該ユーザの趣味嗜好情報として、「音楽」が格納される。
【００６９】
また、内部リンク情報データベース２４に格納（記憶）される情報は、特に限定されず、例えば、追加のデータ項目（列）として、リンクの種別、リンクされる頻度、リンクされた時刻、リンクされた時間、リンク中におけるデータ通信量、リンクされたことによる通信料金、リンク方向等を格納してもよい。リンク種別には、例えば、電話、メール、電話帳アプリケーションの相互登録、ＳＮＳ等によって生成されたリンクのデータソース名（履歴情報）が格納される。
【００７０】
また、外部リンク情報データベース２５に格納（記憶）される情報は、特に限定されず、例えば、追加のデータ項目（列）として、リンクの種別、リンクされる頻度、リンクされた時刻、リンクされた時間、リンク中におけるデータ通信量、リンクされたことによる通信料金、リンク方向等を格納してもよい。リンク種別には、例えば、電話、メール、電話帳アプリケーションの相互登録、ＳＮＳ等によって生成されたリンクのデータソース名（履歴情報）が格納される。
【００７１】
また、上記の内部ノード情報と、内部リンク情報と、外部リンク情報とに基づいて、リンク強度が定義されて算出されてもよい。リンク強度は、上記のリンク種別、リンクの頻度、リンクされた時刻、リンクの累積時間、リンクによる通信時の通信料金、リンクの方向、リンクされる両ノードの契約情報、趣味嗜好等から算出される親密さの大きさを表す数値である。リンク強度が高い（大きい）ほど、リンクされる両ノード（のユーザ）は親密であるといえる。
【００７２】
なお、これらデータの収集が行われる際には、関係するユーザによるデータ収集の許可、許諾が確認されることが必須条件となる。
【００７３】
また、外部ノード情報データベース２３に格納（記憶）される情報は、特に限定されず、例えば、追加のデータ項目（列）として、推定される契約情報、趣味嗜好情報（外部ノード補完情報）等を格納してもよい。外部ノード５０の特定は、例えば、当該外部ノード５０とリンクされる内部ノード３０の契約情報、趣味嗜好情報等から（例えば多数決による決定方法によって）推定することで、行ってもよい。なお、趣味嗜好情報（外部ノード補完情報）は、当該外部ノード５０とリンクされる内部ノード３０の内部ノード情報を用いて、当該内部ノード３０との間の上記のリンク強度による重み付け和によって、推定されてもよい。
【００７４】
また、内部ネットワーク構成部１１により決定される内部ネットワーク（及び内部ネットワークを含む、拡張ネットワーク構成部１２により決定される拡張ネットワーク）の別の例について、図１２を用いて説明する。図１２に示されるように、通信管理装置２０の管理下にあるネットワーク配下の複数の内部ノード３０Ｇ，３０Ｈ，３０Ｉによって内部ネットワークが構成されており、内部ノード３０Ｇ，３０Ｈ，３０Ｉのそれぞれのユーザは相互に割引契約（例：家族単位での契約により料金が割引される契約）がなされているとする。
【００７５】
また、通信管理装置２０の管理外のネットワーク配下の複数の外部ノード５０Ｊと、内部ノード３０Ｇ，３０Ｈ，３０Ｉのそれぞれとはリンク７４，７３，７５のそれぞれでリンクされている。同様に、通信管理装置２０の管理外のネットワーク配下の複数の外部ノード５０Ｋと、内部ノード３０Ｇ，３０Ｈ，３０Ｉのそれぞれとはリンク７６，７７，７８のそれぞれでリンクされている。
【００７６】
ここで、上記のリンク強度が算出され、当該リンク強度が所定強度以上であれば、外部ノード５０Ｊのユーザが、内部ノード３０Ｇ，３０Ｈ，３０Ｉのユーザと同じ家族に属すると推定される。そして、広告配信対象決定部１５が、内部ノード３０Ｇ，３０Ｈ，３０Ｉを配信対象ノードとして決定すると、これら内部ノードに配信する広告の内容を、家族単位での契約により料金が割引される旨を示す家族紹介割引クーポン等に決定して、当該広告を配信する。
【００７７】
また、図１２に示されるように、拡張ネットワーク構成部１２は、外部ノード５０Ｊ，５０Ｋのそれぞれとリンクされる内部ノード３０（３０Ｇ，３０Ｈ，３０Ｉ）からのリンクの数や上記のリンク強度に基づいて、外部ノード５０（５０Ｊ，５０Ｋ）間のリンク（リンク８１）の存在有無とリンク情報（外部リンク補完情報）とを推定することが可能である。より詳しくは、当該リンク強度が所定強度以上であれば、外部ノード５０Ｊのユーザが、ノード５０Ｊのユーザと友人知人関係にあると推定される。
【００７８】
また、図１２に示されている拡張ネットワークでは、内部ノード３０Ｇ及び内部ノード３０Ｈはリンク６２によってリンクされており、内部ノード３０Ｈ及び内部ノード３０Ｉはリンク６３によってリンクされており、内部ノード３０Ｉ及び内部ノード３０Ｇはリンク６４によってリンクされている。
【００７９】
同様に、図１２に示されている拡張ネットワークでは、外部ノード５０Ｊと内部ノード３０Ｇ，３０Ｈ，３０Ｉのそれぞれはリンク７４，７３，７５のそれぞれによってリンクされており、外部ノード５０Ｋと内部ノード３０Ｇ，３０Ｈ，３０Ｉのそれぞれはリンク７６，７７，７８のそれぞれによってリンクされている。
【００８０】
また、内部ノード３０から外部ノード５０へ友人紹介割引クーポン情報が送信された時点か、外部ノード５０のユーザが当該広告の内容に記載の製品等の購入やサービス等の契約を行った時点で、当該内部ノード３０のユーザもまた、通信管理装置２０から金銭やサービスとして恩恵を受けることができるように構成してもよい。
【００８１】
また、通信管理装置２０に記憶される各種情報の時間的変化が広告決定装置１０にフィードバックされるように構成してもよい。このような構成にすることにより、施策対象特徴抽出部１３、施策対象決定部１４、及び広告配信対象決定部１５における各種情報の抽出精度を改善できる可能性が高まる。
【００８２】
また、広告配信装置１は、内部ノード３０のユーザにとって有益な広告を当該内部ノード３０に配信することを目的として構成されてもよい。
【００８３】
ここで、広告配信対象決定部１５が決定する広告の内容は、例えば、友人及び知人等に紹介して利用されると料金割引や特定サービスを受けること等が可能となるクーポン情報である。この紹介割引クーポン情報の形式は、特に限定されず、例えば、インターネット上の契約者等の会員向けページで取得可能であってもよく、電子メールによって配信されてもよく、ダイレクトメールや請求書等に紙媒体として同封されてもよい。内部ノード３０からの転送等で提供された紹介割引クーポン情報を外部ノード５０が受信して、この紹介割引クーポン情報のこの外部ノード５０のユーザによる利用を提示することにより、このユーザは、例えば、通信管理装置２０における契約維持費の割引サービスを受けることが可能になってもよく、通信管理装置２０における高速大容量通信サービスを優先的に受けることが可能になってもよく、通信管理装置２０によって制御される通信を行うためのモバイル通信端末等の本体購入費の割引サービスを受けることが可能になってもよい。
【００８４】
ここで、内部ノード３０のユーザにとって有益な広告を当該内部ノード３０に配信することを目的とした広告配信処理の一部処理（施策対象特徴抽出・施策対象決定・広告配信対象決定処理）の詳細を、図１０を用いて説明する。
【００８５】
まず、施策対象特徴抽出部１３が、配信目標ノードとして過去に選択された複数の内部ノード３０のそれぞれにおける広告の配信効果の大きさを示す効果情報を、施策効果履歴情報データベース２６から取得する。次に、施策対象特徴抽出部１３が、（拡張ネットワーク構成部１２が取得した）管理外情報に基づいて、取得した複数の効果情報のそれぞれに対応する内部ノード３０についての施策対象特徴情報を抽出して取得する（ステップＳ１１）。ここで、施策対象特徴抽出部１３は、過去の広告配信施策による配信効果の大きさ（効果量）が所定ポイント（例：８００ポイント）以上であるすべてのノードに関するリンクの数の平均値（平均リンク数）を算出し、この平均値を施策対象特徴情報が示す情報とする。例えば、図７に示される施策効果履歴情報データベース２６におけるノード識別番号「３０Ａ」が特定する内部ノードが、リンクの数の計算対象に成り得る。図９に示される拡張ネットワークでは、ノード識別番号「３０Ａ」が特定する内部ノードの施策効果履歴情報が示す平均リンク数は約「３」である。
【００８６】
次に、図１１に示されるように、施策対象決定部１４が、拡張ネットワーク構成部１２によって構成された拡張ネットワークから、施策対象特徴抽出部１３によって抽出された施策対象特徴情報と似ている特徴を持ち（すなわち、当該施策対象特徴情報が示すリンクの数との差異が所定本数以内である）且つ内部ノード情報データベース２２に記憶された内部ノード３０を、一つ以上検索して抽出し、当該内部ノード３０を施策対象ノード（配信目標ノード）として決定する（ステップＳ１２）。例えば、図３に示される内部ノード情報データベース２２における内部ノード３０から、施策対象特徴情報が示すリンクの数「３」との差異が所定本数「１」以内である、（リンク６０，７０，７２，７３という）リンク数が４である内部ノード３０Ｂが施策対象ノード（配信目標ノード）として決定されたとする。なお、施策対象特徴情報が示すリンクの数「３」との差異が所定本数「１」以内である、リンク数が３である内部ノード３０Ａが施策対象ノード（配信目標ノード）として決定されてもよい。
【００８７】
次に、図１１に示されるように、広告配信対象決定部１５が、（内部ネットワーク構成部１１が取得した）管理下情報に基づいて、施策対象決定部１４によって選択された配信目標ノードとしての内部ノード３０Ａとリンクを有する複数の内部ノード３０又は当該配信目標ノードから、一つ以上選択して抽出し、当該内部ノード３０を配信対象ノードとして決定する（ステップＳ１３）。そして、広告配信対象決定部１５が、当該配信対象ノードとしての内部ノード３０に配信する広告の内容を決定する（ステップＳ１３）。
【産業上の利用可能性】
【００８８】
本発明によれば、直接的に管理することが不可能な管理外ネットワークの配下の管理外端末に広告を伝播させることができる可能性を高めることが可能な広告配信装置及び広告配信方法を提供することができる。
【符号の説明】
【００８９】
１…広告配信装置、１０…広告決定装置、１１…内部ネットワーク構成部、１２…拡張ネットワーク構成部、１３…施策対象特徴抽出部、１４…施策対象決定部、１５…広告配信対象決定部、１６…決定内容通知部、２０…通信管理装置、２１…広告配信部、２２…内部ノード情報データベース、２３…外部ノード情報データベース、２４…内部リンク情報データベース、２５…外部リンク情報データベース、２６…施策効果履歴情報データベース、２７…広告配信履歴情報データベース、３０（３０Ａ，３０Ｂ，３０Ｇ，３０Ｈ，３０Ｉ）…内部ノード、４０…通信管理装置、５０（５０Ｃ，５０Ｄ，５０Ｆ、５０Ｊ，５０Ｋ）…外部ノード、５０Ｅ…非リンクノード。
【図１】
2014186489.tif 000003
【図２】
2014186489.tif 000004
【図３】
2014186489.tif 000005
【図４】
2014186489.tif 000006
【図５】
2014186489.tif 000007
【図６】
2014186489.tif 000008
【図７】
2014186489.tif 000009
【図８】
2014186489.tif 000010
【図９】
2014186489.tif 000011
【図１０】
2014186489.tif 000012
【図１１】
2014186489.tif 000013
【図１２】
2014186489.tif 000014